(57)【要約】  【課題】冷蔵庫の最下部に位置する野菜室の容積効率を上げ、使用者の使い勝手を向上させること。  【解決手段】上から冷蔵室１０４、冷凍室１０７、最下部に野菜室１０８を構成した冷蔵庫において、冷蔵庫本体背面上部に圧縮機１０２を、冷凍室１０７の後方位置に蒸発器１０９を、この蒸発器１０９の下方に排水経路２０２とドレン水を庫外に導く排水管２０３を、冷蔵庫本体背面下部に除霜水蒸発装置１１０を配置し、除霜水蒸発装置は、蒸発皿２０４と、内部空間に形成された風路２０６と、冷凍サイクル回路の凝縮パイプ２０９の一部を底部に備え、風路に空気を強制対流させる送風手段２０７で構成し、送風手段２０７を圧縮機１０２と同期運転することで効率的な蒸発作用が得られることが出来るため、除霜水蒸発装置１１０の小型化が出来、最下部の野菜室の貯蔵効率を大幅に向上出来る。【選択図】図２
2010117038.tif 000002
【特許請求の範囲】
【請求項１】
上から冷蔵室、冷凍室、最下部に野菜室を構成した冷蔵庫において、冷蔵庫本体背面上部に圧縮機を、冷凍室の後方位置に蒸発器を、この蒸発器の下方に排水経路とドレン水を庫外に導く排水管を、冷蔵庫本体背面下部に除霜水蒸発装置を配置し、前記除霜水蒸発装置は、前記排水管の下方にドレン水を受ける上面を密閉化した皿形状の蒸発皿と、前記蒸発皿は少なくとも２つの開口部と、内部空間に形成された風路と、冷凍サイクル回路の凝縮パイプの一部を底部に備え、前記風路に空気を強制対流させる送風手段で構成し、前記送風手段を前記圧縮機と同期運転することを特徴とする冷蔵庫。
【請求項２】
除霜水蒸発装置の奥行寸法を蒸発器の奥行寸法と略同一としたことを特徴とする請求項１に記載の冷蔵庫。
【請求項３】
送風手段を除霜動作終了に連動して一定時間運転することを特徴とする請求項１または２に記載の冷蔵庫。
【請求項４】
蒸発皿へ水位検知手段を設け、オーバーフローする危険性がある場合は異常を報知することを特徴とする請求項１から３のいずれか一項に記載の冷蔵庫。
【請求項５】
水位検知手段が一定水位に到達すると送風手段を運転し、一定水位以下を検知すると前記送風手段を停止することを特徴とする請求項１から４のいずれか一項に記載の冷蔵庫。
【請求項６】
水位検知手段を抵抗式サーミスタとすることを特徴とする請求項１から５のいずれか一項に記載の冷蔵庫。
【発明の詳細な説明】
【技術分野】
【０００１】
本発明は、除霜水の蒸発装置及びそれを用いた冷蔵庫に関するものである。
【背景技術】
【０００２】
従来、この種の冷蔵庫の除霜水の蒸発方式は、発熱部品の冷却または放熱と共に得られる熱を蒸発皿に貯められた除霜水を蒸発させるために利用する方式を採用している。熱源については様々な方法があり、例えば直接的に除霜水を加熱する場合もある。
【０００３】
図８は、特許文献１に記載された従来の冷蔵庫を示すものである。図８に示すように、冷蔵庫本体１の上側に設けられ、冷凍サイクルが収納された冷凍サイクル収納部２と、冷蔵庫本体１の下部に設けられた蒸発皿３と、冷蔵庫本体１に設けられ、冷凍サイクル収納部２の横には蒸発器４と蒸発器４の表面の霜を取り除く熱源手段５が設けられている。
【０００４】
熱源手段５が加熱する際、滴下する除霜水を蒸発皿３に供給する水通路６と、冷凍サイクル収納部２に外気を吸引することに伴い、冷凍サイクルの発熱部品により外気を加熱して温風化するファン装置７と、冷蔵庫本体１に設けられ、ファン装置７から吐出された温風を蒸発皿３に供給するダクト８を備えた構成になっている。
【０００５】
次に図８及び図９より従来の冷凍サイクルの構成について概略を説明する。圧縮機９から吐出された高温のガス冷媒はコンデンサ１０を通る過程で中温の液冷媒となり、キャピラリーチューブ１１により低温の液冷媒となる。蒸発器４に低温液冷媒が通る過程で蒸発が起き低温のガス冷媒となり圧縮機９へ戻る閉ループとなっている。蒸発器４は低温であるため貯蔵室庫内１２の空気と熱交換する際に蒸発器４表面へ霜として形成されていく。
【０００６】
圧縮機９の運転時間が経過するにつれ霜は蓄積されるため、適宜、蒸発器４表面の霜を取り除くため熱源手段５が加熱され、霜を除霜し除霜水は水通路６を経て蒸発皿３に供給される。冷凍サイクル収納部２にある発熱部品である圧縮機９、コンデンサ１０をファン装置７により外気から吸い込む空気により冷却及び放熱させ、そこで発生した温風をダクト８から蒸発皿３の開口部へ送られ蒸発皿３の中の水温を上昇させ蒸発させる方式になっている（例えば、特許文献１参照）。
【特許文献１】特開平８−２４７６２６号公報
【発明の開示】
【発明が解決しようとする課題】
【０００７】
この種の蒸発方式の場合、水を蒸発させる因子としては大きく次の３項目がある。第一として水面風速、第二として水温、第三として水と外気が接触する開口部面積である。しかしながら、上記従来の構成では、蒸発皿３表面を通過する風速が弱く水の蒸発促進が非効率であり、また熱源が最下部に配設されていないため熱源から最下部までのダクト８の風路中の熱ロスが大きく水温の上昇には非効率であるため蒸発皿３の開口面積を大きくする必要があり、貯蔵室の容積効率を上げることが出来ないという課題を有していた。
【０００８】
本発明は、上記従来の課題を解決するもので、水を蒸発させる因子として第一の因子である水面の風速と第二の因子である水温を制御できる構成とすることにより、蒸発性能を向上させることが出来、蒸発皿の開口面積を小さくしコンパクト化することにより野菜室の容積効率を大幅に上げることが出来るため消費者の食品の収納効率を大幅に改善出来る冷蔵庫を提供することを目的とする。
【課題を解決するための手段】
【０００９】
上記従来の課題を解決するために、本発明の冷蔵庫は、上から冷蔵室、冷凍室、最下部に野菜室を構成し、冷蔵庫本体背面上部に圧縮機を、冷凍室の後方位置に蒸発器を、この蒸発器の下方に排水経路とドレン水を庫外に導く排水管を、冷蔵庫本体背面下部に除霜水蒸発装置を配置し、前記除霜水蒸発装置は、前記排水管の下方にドレン水を受ける上面を密閉化した皿形状の蒸発皿と、前記蒸発皿は少なくとも２つの開口部と、内部空間に形成された風路と、冷凍サイクル回路の凝縮パイプの一部を底部に備え、前記風路に空気を強制対流させる送風手段で構成し、前記送風手段を前記圧縮機と同期運転することを特徴とする。
【００１０】
これによって、凝縮パイプの温度は、圧縮機運転時は冷凍サイクルの高圧圧力の飽和温度まで上昇するため蒸発皿内のドレン水を効率的に上昇させることが可能であり、送風手段を運転させると効率的な蒸発作用が得られる。逆に圧縮機が停止時は冷凍サイクルがバランスする圧力の飽和温度は大幅に低下するため、蒸発皿内のドレン水温度を低下させないようにするため、送風手段を停止させることにより効率的な蒸発作用が得られることが出来るため、除霜水蒸発装置をコンパクト化が出来、最下部の野菜室の貯蔵効率を大幅に向上させることが出来る。
【発明の効果】
【００１１】
本発明は、上記従来の課題を解決するもので、圧縮機を冷蔵庫本体背面上部に配置することに加え、水温と水面の風速とを最適に制御することで蒸発性能を大幅に向上させたことによるコンパクトな除霜水蒸発装置を野菜室後方に配置することが出来るため、野菜室の容積効率を大幅に上げることが出来、使用者の食品の収納効率を大幅に改善出来る。
【発明を実施するための最良の形態】
【００１２】
第１の発明は、上から冷蔵室、冷凍室、最下部に野菜室を構成した冷蔵庫において、冷蔵庫本体背面上部に圧縮機を、冷凍室の後方位置に蒸発器を、この蒸発器の下方に排水経路とドレン水を庫外に導く排水管を、冷蔵庫本体背面下部に除霜水蒸発装置を配置し、前記除霜水蒸発装置は、前記排水管の下方にドレン水を受ける上面を密閉化した皿形状の蒸発皿と、前記蒸発皿は少なくとも２つの開口部と、内部空間に形成された風路と、冷凍サイクル回路の凝縮パイプの一部を底部に備え、前記風路に空気を強制対流させる送風手段で構成し、前記送風手段を前記圧縮機と同期運転する。
【００１３】
これによって、凝縮パイプの温度は、圧縮機運転時は冷凍サイクルの高圧圧力の飽和温度まで上昇するため蒸発皿内のドレン水を効率的に上昇させることが可能であり、送風手段を運転させると効率的な蒸発作用が得られる。逆に圧縮機が停止時は冷凍サイクルがバランスする圧力の飽和温度は大幅に低下するため、蒸発皿内のドレン水温度を低下させないようにするため、送風手段を停止させることにより効率的な蒸発作用が得られることが出来るため、除霜水蒸発装置のコンパクト化が出来、最下部の野菜室の貯蔵効率を大幅に向上させることが出来る。
【００１４】
第２の発明は、第１の発明において、除霜水蒸発装置の奥行寸法を蒸発器の奥行寸法と略同一としたことにより、圧縮機を冷蔵庫本体背面上部に配置することに加え、蒸発器と除霜水蒸発装置を上下に配置でき、蒸発器の奥行寸法と同程度の奥行寸法の除霜水蒸発装置を野菜室後方に配置することが出来るため、最下部の野菜室の貯蔵効率を大幅に向上させることが出来、使用者の食品の収納効率を大幅に改善出来る。
【００１５】
第３の発明は、第１または第２の発明において、送風手段を除霜動作終了に連動して一定時間運転することにより、除霜後貯蔵室の庫内温度が一時的上昇し、冷凍サイクルの高圧圧力が通常の安定サイクル時より上昇し、凝縮パイプの温度も通常時より高温に上昇するため、蒸発皿内のドレン水の温度を効率的に上昇させることが出来るので、通常より長い一定時間送風手段を運転させることで、蒸発能力を高め除霜水蒸発装置のコンパクト化が図れ、最下部の野菜室の貯蔵効率を大幅に向上させることが出来る。
【００１６】
第４の発明は、第１から第３の発明のいずれか１つの発明において、蒸発皿へ水位検知手段を設け、オーバーフローする危険性がある場合は異常を報知することで、冷蔵庫の使用者へ報知することが出来る。
【００１７】
第５の発明は、第１から第４の発明のいずれか１つの発明において、水位検知手段が一定水位に到達すると送風手段を運転し、一定水位以下を検知すると送風手段を停止することにより、凝縮パイプの放熱能力を有効に利用することが出来るため、消費電力量を低減し、除霜水蒸発装置のコンパクト化が図れ、最下部の貯蔵室の貯蔵効率を大幅に向上させることが出来る。
【００１８】
第６の発明は、第１から第５の発明のいずれか１つの発明において、水位検知手段を抵抗式サーミスタとすることにより、消費電力量を低減した安価な冷蔵庫を提供出来る。
【００１９】
以下、本発明の実施の形態について、図面を参照しながら説明する。なお、この実施の形態によって、この発明が限定されるものではない。
【００２０】
（実施の形態１）
図１（ａ）は、本発明の実施の形態１における冷蔵庫の正面図、図１（ｂ）は、中央断面図である。
【００２１】
図１において、冷蔵庫本体１０１の上部奥に構成された空間である第１の機械室１０３へ圧縮機１０２が構成されている。冷蔵庫本体１０１の構成を上から冷蔵室１０４と、冷蔵室１０４の下に並列に設置された貯氷室１０５と、第１の冷凍室１０６と、第１の冷凍室１０６の下に構成された第２の冷凍室１０７と、最下部に構成された野菜室１０８と、第２の冷凍室１０７のほぼ後方位置へ構成された蒸発器１０９と、冷蔵庫本体１０１の背面下部へ構成された第２の機械室１１１へ除霜水蒸発装置１１０が設けられている。なお、第１の冷凍室１０６は冷蔵温度帯や微冷凍温度帯等切り換え可能な貯蔵室としても良く、冷凍室に限定されるものではない。
【００２２】
図２（ａ）は除霜水蒸発装置１１０の概略図、図２（ｂ）は要部斜視図である。
【００２３】
図１、図２において、除霜水蒸発装置１１０の上方位置へ蒸発器１０９と、蒸発器１０９のドレン水を導く排水経路２０２と、ドレン水を庫外に導く排水管２０３と、除霜水蒸発装置１１０は、排水管２０３の下方にドレン水を受ける蒸発皿２０４と、蒸発皿２０４は上面を密閉化した皿形状と、２つの開口部２０５と、内部空間に形成された風路２０６と、風路２０６に空気を強制対流させる送風手段２０７で構成され、蒸発皿２０４の奥行き寸法Ｌは、蒸発器奥行きとほぼ同一寸法に構成する。
【００２４】
熱源手段は冷凍サイクルにおいては凝縮域の凝縮パイプ２０９で構成する。凝縮パイプ２０９の形状は螺旋形状とし、蒸発皿２０４へ密に構成可能な形状とし、蒸発皿２０４の底部へ構成する。なお、熱源手段である凝縮パイプ２０９は多様に構成可能であり本仕様に限定されるものではない。
【００２５】
第２の機械室１１１内全体の風の流れとしては、送風手段２０７により、第２の機械室１１１のカバー２１０の吸込み部２１１から外気のフレッシュな空気を吸い込み、開口部２０５の片側から風路２０６を経てもう一方の開口部２０５を通りカバー２１０の吹き出し部２１２から風は流れる。なお、風路の形態及び送風手段の構成は多様に配設は可能であり限定されるものではない。
【００２６】
図３は本発明の実施の形態１における冷蔵庫の除霜水蒸発装置１１０の送風手段２０７の運転アルゴリズム説明図である。
【００２７】
次に図１、図２、図３を用いて除霜水蒸発装置１１０の蒸発作用について説明する。冷凍サイクルについては従来と同一構成に付き詳細説明を省略するが、蒸発器１０９は低温であり各貯蔵室庫内である冷蔵室１０４、貯氷室１０５、第１の冷凍室１０６、第２の冷凍室１０７、野菜室１０８の空気と熱交換する際に蒸発器１０９表面へ霜として形成されていく。
【００２８】
圧縮機１０２の運転時間が経過するにつれ霜は蓄積されるため、適宜蒸発器１０９表面の霜を取り除くため熱源手段２１３が加熱され、霜を除霜しドレン水は排水管２０３を経て蒸発皿２０４に供給される。蒸発皿２０４の上部を密閉化することにより風路２０６はドレン水２０２の水面上を通る単独の風路構成となり、従来と比較し大幅な風速アップとなる。この風速アップによりドレン水の蒸発性能は大幅に向上する。
【００２９】
また、風速は蒸発皿２０４内の水位が上がると上昇し、蒸発性能も合わせて向上する。したがい、ドレン水は、送風手段２０７の風速により蒸発皿２０４から蒸発していく。蒸発性能と蒸発皿２０４の上面の面積は一般的に比例関係にあることが知られている。したがって、風速アップにより蒸発皿２０４の上面の面積は大幅に削減可能となる。また、この蒸発は送風手段２０７の風速の設定により蒸発量を調整可能である。
【００３０】
送風手段２０７の動作は圧縮機１０２の動作と同期した動作を行う。次に図３を用いて送風手段２０７と圧縮機１０２の同期動作について説明する。
【００３１】
ポイントＡで圧縮機１０２（ａ線）が運転開始すると高圧圧力（ｂ線）が上昇し、凝縮パイプ２０９の温度（ｃ線）も同時に上昇する。凝縮パイプ２０９の温度（ｃ線）は、ほぼ高圧圧力（ｂ線）の飽和温度となる。蒸発皿２０４内にあるドレン水の温度（ｄ線）も上昇する。貯蔵室の各庫内が設定温度に到達するとポイントＢで圧縮機１０２は停止する。
【００３２】
圧縮機１０２が停止すると高圧圧力（ｂ線）が低下するため凝縮パイプ２０９の温度（ｃ線）も同時に低下し、蒸発皿２０４内にあるドレン水の温度（ｄ線）も低下する。水の蒸発は水温と一定の比例関係がある。したがってドレン水の温度が高い時に送風手段２０７を運転（ｅ線）させることが消費電力面、送風手段２０７の信頼性面から考えても最も効率的な蒸発をさせることが出来、圧縮機１０２の停止中に送風手段２０７を運転させるとドレン水の温度低下を助長させることになり非効率的である。したがって、送風手段２０７は、圧縮機１０２が運転する時に同期させて運転させる。
【００３３】
本発明における除霜水蒸発装置１１０は、水を蒸発させる因子である水面風速、水温、開口部面積の３因子の内、送風手段２０７による風路２０６の風速のアップ、圧縮機１０２による熱源手段である凝縮パイプ２０９による水温のアップにより蒸発皿２０４を小型化出来、設計自由度を高めることで奥行き寸法を蒸発器奥行きとほぼ同一寸法に構成可能としている。
【００３４】
以上のように、上から冷蔵室１０４、冷凍室１０７、最下部に野菜室１０８を構成した冷蔵庫において、冷蔵庫本体背面上部に圧縮機１０２を、冷凍室１０７の後方位置に蒸発器１０９を、この蒸発器の下方に排水経路２０２とドレン水を庫外に導く排水管２０３を、冷蔵庫本体背面下部に除霜水蒸発装置１１０を配置し、除霜水蒸発装置１１０は、前記排水管の下方にドレン水を受ける上面を密閉化した皿形状の蒸発皿２０４と、蒸発皿２０４は少なくとも２つの開口部２０５と、内部空間に形成された風路２０６と、冷凍サイクル回路の凝縮パイプ２０９の一部を底部に備え、風路２０６に空気を強制対流させる送風手段２０７で構成し、送風手段２０７を圧縮機１０２と同期運転することにより、凝縮パイプ２０９の温度は、圧縮機運転時は冷凍サイクルの高圧圧力の飽和温度まで上昇するため蒸発皿２０４内のドレン水を効率的に上昇させることが可能であり、送風手段２０７を運転させると効率的な蒸発作用が得られる。逆に圧縮機１０２が停止時は冷凍サイクルがバランスする圧力の飽和温度は大幅に低下するため、蒸発皿２０４内のドレン水温度を低下させないようにするため、送風手段２０７を停止させることにより効率的な蒸発作用が得られることが出来るため、除霜水蒸発装置１１０をコンパクト化が出来、最下部の野菜室１０８の貯蔵効率を大幅に向上させることが出来る。
【００３５】
また、除霜水蒸発装置１１０の奥行寸法を蒸発器１０９の奥行寸法と略同一と設計できることにより、圧縮機１０２を冷蔵庫本体背面上部に配置することに加え、蒸発器１０９と除霜水蒸発装置１１０を上下に配置でき、蒸発器１０９の奥行寸法と同程度の奥行寸法の除霜水蒸発装置１１０を野菜室１０８後方に配置することが出来るため、最下部の野菜室１０８の貯蔵効率を大幅に向上させることが出来、使用者の食品の収納効率を大幅に改善出来る。
【００３６】
なお、本実施の形態では冷蔵庫の最下段部を野菜室として説明したが、野菜以外の冷蔵貯蔵室として使用しても良い。
【００３７】
（実施の形態２）
図４は、本発明の実施の形態２における冷蔵庫の除霜水蒸発装置１１０の送風手段２０７の運転アルゴリズム説明図である。
【００３８】
実施の形態１と異なる点は、除霜モードの熱源手段２１３が作動した後の制御動作である。蒸発器１０９は低温であり各貯蔵室庫内である冷蔵室１０４、貯氷室１０５、第１の冷凍室１０６、第２の冷凍室１０７、野菜室１０８の空気と熱交換する際に蒸発器１０９表面へ霜として形成されていく。圧縮機１０２の運転時間が経過するにつれ霜は蓄積されるため、適宜蒸発器１０９表面の霜を取り除くため熱源手段２１３が加熱される。
【００３９】
図４において熱源手段２１３により除霜動作（ｆ線）後、ポイントＡで圧縮機１０２（ａ線）が運転開始すると送風手段２０７（ｅ線）も同時に運転を開始し、ある一定時間Ｔ例えば４時間後のポイントＢまで送風手段２０７（ｅ線）を連続運転する。これによって、熱源手段２１３加熱後、貯蔵室の庫内温度が一時的上昇するため、冷凍サイクルの高圧圧力（ｂ線）が通常の安定サイクル時より上昇するため、凝縮パイプ２０９の温度（ｃ線）も通常時より高温に上昇するため、蒸発皿内のドレン水の温度（ｄ線）を効率的に上昇させることが出来るため効率的な蒸発作用が得られることが出来、凝縮パイプ２０９の短縮化または、除霜水蒸発装置のコンパクト化が図れる。
【００４０】
なお、熱源手段２１３の停止直後でなくその前後より送風手段２０７を動作をしても良い。
【００４１】
なお、貯蔵室の庫内温度が上昇する場合は冷凍サイクルの高圧圧力は上昇するために、貯蔵室の庫内温度が上昇する条件を検出可能な検知手段例えば各貯蔵室内センサーや、消費者が冷蔵庫を使用する際各貯蔵室扉を開閉する熱負荷の侵入を検知できる手段である扉開閉検知手段と併用して送風手段２０７を上記アルゴリズムと同様に運転しても同一効果が得られ上記に限定されるものではない。
【００４２】
以上のように、送風手段を除霜後一定時間連続運転することにより、除霜水蒸発装置のコンパクト化が図れ、最下部の野菜室の貯蔵効率を大幅に向上させることが出来る。
【００４３】
（実施の形態３）
図５は、本発明の実施の形態３における冷蔵庫の除霜水蒸発装置５０１の概略図である。
【００４４】
実施の形態２と異なる点は、除霜水蒸発装置５０１の蒸発皿２０４へ水位検知手段５０２を設ける。送風手段２０７の異常時、例えば送風手段２０７が運転出来ない状況でかつ蒸発皿２０４内の水位が上昇し、オーバーフローする危険性がある場合は異常告知手段を用い、冷蔵庫使用のユーザーへ適正につたえることが出来る。なお、異常告知手段は多種多様に考えられ一意に限定されるものではない。
【００４５】
以上のように、蒸発皿２０４へ水位検知手段５０２を設けることにより、送風手段２０７の異常時、例えば送風手段２０７が運転出来ない状況でかつ蒸発皿２０４内の水位が上昇し、オーバーフローする危険性がある場合は異常報知手段を用い、冷蔵庫使用のユーザーへ適正につたえることが出来る。
【００４６】
（実施の形態４）
図６（ａ）（ｂ）は、本発明の実施の形態４における冷蔵庫の除霜水蒸発装置５０１の送風手段２０７と水位検知手段５０２の動作アルゴリズム説明図である。
【００４７】
実施の形態３と異なる点は、除霜水蒸発装置５０１の蒸発皿２０４内の水位（ｇ線）がポイントＡで水位検知手段５０２が一定水位ｈ１に到達すると送風手段２０７を運転し、ポイントＢで一定水位ｈ２以下を検知すると送風手段２０７を停止する。一定水位ｈ１は凝縮パイプ２０９の上端位置以上に設定し、一定水位ｈ２は例えば凝縮パイプ２０９の螺旋径の約半分位置に設定する。
【００４８】
このことにより、凝縮パイプ２０９の約５０％以上常時ドレン水に漬かった状態となるため、凝縮パイプ２０９は空気対流による場合と比べ数倍の放熱能力を有することとなり、放熱能力を大幅に向上させることが出来る。なお、水位のコントロールポイント及び送風手段２０７のコントロールについては多種多様に考えられ一意に限定されるものではない。
【００４９】
以上のように、水位検知手段５０２が一定水位に到達すると送風手段２０７を運転し、一定水位以下を検知すると送風手段２０７を停止することにより、凝縮パイプ２０９の放熱能力を大幅に向上させることが出来るため、消費電力量を低減し、除霜水蒸発装置５０１のコンパクト化が図れ、最下部の野菜室１０８の貯蔵効率を大幅に向上させることが出来る。
【００５０】
（実施の形態５）
図７は、本発明の実施の形態５における冷蔵庫の除霜水蒸発装置７０１の概略図である。
【００５１】
実施の形態３と異なる点は、水位検知手段５０２を抵抗式サーミスタ７０２とする。抵抗式サーミスタ７０２の配置位置は、除霜水蒸発装置７０１の蒸発皿２０４の水平方向で送風手段２０７の近傍の吸込み空気温度が検知出来る位置とし、蒸発皿２０４の高さ方向は、一定水位ｈ１と一定水位ｈ２の中間位置へ構成する。
【００５２】
このことにより、ドレン水の水位がｈ１以上ある場合、ｈ２以下の場合で抵抗式サーミスタ７０２の検知温度は、凝縮パイプ２０９で温められたドレン水の温度検知する場合と、除霜水蒸発装置７０１の吸い込み空気温度を検知する場合で、温度差が生じるため水位検知手段５０２と同等の制御性を有することが出来、非常に安価かつ簡単な検知構成を作ることが出来る。
【００５３】
以上のように、水位検知手段を抵抗式サーミスタ２０７とすることにより、消費電力量を低減した安価な冷蔵庫を提供出来る。
【産業上の利用可能性】
【００５４】
以上のように、本発明にかかる除霜水蒸発装置を搭載した冷蔵庫は、水温と水面の風速とを最適に制御することで蒸発性能を大幅に向上させることが出来、蒸発皿の開口面積を小さくし、除霜水蒸発装置をコンパクト化することが出来るため、家庭用冷蔵庫だけでなく業務用冷凍装置等にも適用出来る。
【図面の簡単な説明】
【００５５】
【図１】（ａ）本発明の実施の形態１における冷蔵庫の正面図（ｂ）同冷蔵庫の中央断面図
【図２】（ａ）同冷蔵庫の除霜水蒸発装置の概略図（ｂ）同除霜水蒸発装置の要部斜視図
【図３】本発明の実施の形態１における冷蔵庫の除霜水蒸発装置の送風手段運転アルゴリズム説明図
【図４】本発明の実施の形態２における冷蔵庫の除霜水蒸発装置の送風手段運転アルゴリズム説明図
【図５】本発明の実施の形態３における冷蔵庫の除霜水蒸発装置の概略図
【図６】（ａ）本発明の実施の形態４における冷蔵庫の除霜水蒸発装置の概略図（ｂ）同除霜水蒸発装置の送風手段と水位検知手段の動作アルゴリズム説明図
【図７】本発明の実施の形態５における冷蔵庫の除霜水蒸発装置の概略図
【図８】（ａ）従来の冷蔵庫の断面図（ｂ）そのＡ−Ａ線断面図
【図９】従来の冷蔵庫の冷凍サイクル説明図
【符号の説明】
【００５６】
１０１  冷蔵庫本体
１０２  圧縮機
１０４  冷蔵室
１０５  貯氷室（冷凍室）
１０６  第１の冷凍室（冷凍室）
１０７  第２の冷凍室（冷凍室）
１０８  野菜室
１０９  蒸発器
１１０  除霜水蒸発装置
２０２  排水経路
２０３  排水管
２０４  蒸発皿
２０５  開口部
２０６  風路
２０７  送風手段
２０９  凝縮パイプ
５０１  除霜水蒸発装置
５０２  水位検知手段
７０１  除霜水蒸発装置
７０２  抵抗式サーミスタ
【図３】
2010117038.tif 000003
【図４】
2010117038.tif 000004
【図９】
2010117038.tif 000005
【図１】
2010117038.tif 000006
【図２】
2010117038.tif 000007
【図５】
2010117038.tif 000008
【図６】
2010117038.tif 000009
【図７】
2010117038.tif 000010
【図８】
2010117038.tif 000011